(57)【要約】【課題】緩衝特性の可変が可能な二重床構造に関し、体育施設などの床構造として緩衝特性を競技等の用途に応じて変更可能な二重床構造を提供することを課題とする。【解決手段】床スラブ３上に設置され昇降駆動機３０を装備する複数の床支持ジャッキ２２、上記床支持ジャッキ２２に昇降可能に支持される大引材２４、及び上記大引材２４に支持され上部に所定の間隔をおいて弾性体５０が配置された根太材２６からなる組み床４と、上記組み床４の上方に配置される床パネル６、及び上記床パネル６の支持が可能な床支持脚８からなる置床２とを有し、上記床支持ジャッキ２２の稼動により上記組み床４を昇降させ、上記床パネル６の支持を上記床支持脚８による支持から上記組み床４の弾性体５０による支持に換えることで上記床パネル６の弾力性を可変させる構成である。【選択図】図１
2009235806.tif 000002
【特許請求の範囲】
【請求項１】
床スラブ上に設置され昇降駆動機を装備する複数の床支持ジャッキ、上記床支持ジャッキに昇降可能に支持される大引材、及び上記大引材に支持され上部に所定の間隔をおいて弾性体が配置された根太材からなる組み床と、
上記組み床の上方に配置される床パネル、及び上記床パネルの支持が可能な床支持脚からなる置床とを有し、
上記床支持ジャッキの稼動により上記組み床を昇降させ、上記床パネルの支持を上記床支持脚による支持から上記組み床の弾性体による支持に換えることで上記床パネルの弾力性を可変させることを特徴とする二重床構造。
【請求項２】
上記弾性体にコイルバネを用いる一方、上記床支持脚の下端部に弾性材からなる台座を設けたことを特徴とする請求項１記載の二重床構造。
【請求項３】
上記昇降駆動機に、ウォーム機構におけるウォームホイールの回転を上下移動に変えて昇降させる駆動機構を用いたことを特徴とする請求項１又は請求項２記載の二重床構造。
【発明の詳細な説明】
【技術分野】
【０００１】
本発明は、体育施設などの床の緩衝特性の可変が可能な二重床構造に関する。
【背景技術】
【０００２】
従来、体育館等の体育施設については床面の緩衝特性は一定であり、競技別に緩衝特性を変えることはできない。このため総合体育館などの大型公共施設では、特に武道場に関しては武道別に剣道、柔道などの専用道場を設け、各専用道場毎にそれぞれ適正な弾力性能を有する床下地材を配置し、各道場の仕様に応じた床面を形成している。
【０００３】
これに対して、特許文献１には図７に示す床支持装置が開示されており、この床支持装置は、床下支持用束柱６０の上部の調整ボルト６２の先端に空気ばね６４を用いた防振部材６５を設け、この防振部材６５の上に大引６６を設置したものであり、上記空気ばね６４にコンプレッサ６８を接続して空気ばね６４の内部圧力を変え、これにより子供用、大人用に適した緩衝効果が得られるようにしている。
【０００４】
また特許文献２に記載の床用制振装置は、大引を空気ばねで構成された弾性体で支持し、制振力発生手段により大引に制振力を付与し、この制振力を調整することで剣道場又は柔道場など使用用途に応じて床部を各種の用途に適用可能とするものである。
また床の昇降に関して、特許文献３にはチェーン、スプロケットで構成され床を水平昇降できる床昇降装置が開示されている。
【０００５】
【特許文献１】実開昭６１−７８９４３号公報
【特許文献２】特許第３５９８４４１号公報
【特許文献３】特開平６−３０７１０９号公報
【発明の開示】
【発明が解決しようとする課題】
【０００６】
しかしながら、上記特許文献１、特許文献２に記載の空気ばねを用いた緩衝制御付きの床装置は、空気圧を一定に維持するための制御方法が容易でなくまた床面からの重量負荷に対する沈み込みの調整等の問題があり、また耐久性についても問題が予想される。
また、体育施設の大型化などの影響により、体育館等において多用途の機能をもったマルチフロアのニーズは高まっている。
【０００７】
本発明は上記問題点を解決するためになされたものであり、体育施設などの床構造として緩衝特性を競技等の用途に応じて可変可能な二重床構造を提供することを目的とする。
【課題を解決するための手段】
【０００８】
以上の技術的課題を解決するため、本発明に係る二重床構造は、図１等に示すように、床スラブ３上に設置され昇降駆動機３０を装備する複数の床支持ジャッキ２２、上記床支持ジャッキ２２に昇降可能に支持される大引材２４、及び上記大引材２４に支持され上部に所定の間隔をおいて弾性体５０が配置された根太材２６からなる組み床４と、上記組み床４の上方に配置される床パネル６、及び上記床パネル６の支持が可能な床支持脚８からなる置床２とを有し、上記床支持ジャッキ２２の稼動により上記組み床４を昇降させ、上記床パネル６の支持を上記床支持脚８による支持から上記組み床４の弾性体５０による支持に換えることで上記床パネル６の弾力性を可変させる構成である。
【０００９】
本発明に係る二重床構造は、上記弾性体５０にコイルバネ５２を用いる一方、上記床支持脚８の下端部に弾性材からなる台座１０を設けた構成である。
【００１０】
本発明に係る二重床構造は、上記昇降駆動機３０に、ウォーム機構におけるウォームホイール３８の回転を上下移動に変えて昇降させる駆動機構を用いた構成である。
【発明の効果】
【００１１】
本発明に係る二重床構造によれば、昇降駆動機を装備する床支持ジャッキに昇降可能に支持される大引材、及び上部に所定の間隔をおいて弾性体が配置された根太材からなる組み床と、床パネルとその支持が可能な床支持脚からなる置床とを有し、組み床を昇降させ、床パネルの支持を床支持脚による支持から組み床の弾性体による支持に換えることで床パネルの弾力性を可変させる構成を採用したから、体育施設におけるスポーツフロアの床面の緩衝特性の変更が可能となり、競技内容に応じて最適な弾力性が得られるフロアを確保することができ、また広いアリーナなどの部分的な床面の緩衝調整、或いは武道場における一般競技の用途への変更も可能となり、また非常時など体育館を避難場所として活用するなどフロアを多用途に利用できるという効果を奏する。また、昇降駆動機を装備する床支持ジャッキは、床の昇降駆動の制御が容易であり耐久性にも優れるという効果がある。
【００１２】
本発明に係る二重床構造によれば、弾性体にコイルバネを用いる一方、床支持脚の下端部に弾性材からなる台座を設けた構成としたから、弾力のある柔らかいフロアが形成されるとともに、昇降駆動機を下降させ床スラブを床支持脚で支持した状態では異なる緩衝特性を有するフロアが得られるという効果がある。
【００１３】
本発明に係る二重床構造によれば、昇降駆動機に、ウォーム機構におけるウォームホイールの回転を上下移動に変えて昇降させる機械式の駆動機構を用いた構成としたから、昇降駆動機の上昇及び下降の制御が容易かつ正確に行なえ、また耐荷重性、耐久性にも優れるという効果がある。
【発明を実施するための最良の形態】
【００１４】
以下、本発明に係る二重床構造の実施の形態を図面に基づいて説明する。
図１は、体育館等の競技場設備に採用された緩衝特性が可変可能な乾式の上記二重床構造を示したものである。この二重床構造は図２に示すように、置床２と組み床４とを組み合わせ、この置床２の下方に組み床４を配置した形態である。
【００１５】
上記置床２は、図１，２に示すように、床パネル６と、この床パネル６を支持する床支持脚８とからなる構造である。この床支持脚８は、ゴム等の弾性材からなる台座１０、この台座１０に立設される金属性の棒状の束部材１２及びこの束部材１２の上端部に取付けられた円板状の受け具１４からなる。またこの受け具１４の中央部には、上方に突出する円柱状の突起１６が形成されている。上記床パネル６は、長方形状のパーティクルボードなどからなり、各四隅部の近傍及び長辺側の中央部近傍にはそれぞれ円形の孔部１８が設けられている。
【００１６】
また上記組み床４は、図３に示すように、回転動力によりねじ軸を昇降移動させることが可能な昇降駆動機３０を内蔵した床支持ジャッキ２２、これら床支持ジャッキ２２に支持され所定の範囲で上下に昇降移動する大引材２４、これら大引材２４の上部に配置され大引材２４とは直交する方向に配置される根太材２６、及びこの根太材２６の上部に所定の間隔を置いて配置される弾性体５０を有する。上記大引材２４は、Ｈ鋼或いは断面Ｃ字状の鋼材が用いられ、根太材２６には角形鋼管或いは断面ハット状の鋼材が用いられる。
【００１７】
また、上記根太材２６の上部に配置される弾性体５０は、中央に配置されるコイルバネ５２の下部に座板５４を又上部に受材５５をそれぞれ取り付けた形状である。このコイルバネ５２は、優れた弾力性を有し十分な緩衝効果が得られる。なお、このコイルバネに代えてゴム等の弾性体を用いることができる。各弾性体５０は、その座板５４をビス等の止着具を用いて上記根太材２６の上部に固定する。
【００１８】
上記床支持ジャッキ２２は、図４に示すように、筒状の台座２８、この台座２８の上部に装着された機械式の昇降駆動機３０、この昇降駆動機３０の上部の連結ねじ部３１の上部に連結部材３３を介して接合された受け具３４を有している。
【００１９】
上記昇降駆動機３０は図５に示すように、ウォーム機構によるウォームホイール３８の回転をねじ軸の上下移動に変えて昇降させる駆動機構からなる。この駆動機構では、下記プーリ４２と連動するウォーム３６の回転がこれと噛み合うウォームホイール３８に伝達され、同時に駆動ナット４０が回転し、この駆動ナット４０の回転によりこれと螺合する被駆動ねじ軸３２が上下に昇降駆動される。これに伴い、上記被駆動ねじ軸３２の上部に設けた受け具３４が上昇或いは下降移動する。
【００２０】
一方、図５に示すように、上記ウォーム３６の軸の両端部にはプーリ４２，４２が取り付けられている。そして、これらプーリ４２，４２には、床スラブ３に配置される電動モータ４４に設けられたプーリ４６とはＶベルト４８を介してその回転が伝達され、プーリ４２とともに上記ウォーム３６が回転する。また、上記電動モーター４４は、競技場に設けた制御装置（図示せず）により集中制御され、電動モーター４４の回転方向、回転時間などのコントロールにより、床支持ジャッキ２２が所定の範囲で昇降駆動される。
【００２１】
ここで、上記二重床構造の施工について説明する。先ず、上記組み床４を床スラブ３上に設置する。そして、この組み床４を構成する大引材２４が配置される位置に、所定間隔をおいて上記床支持ジャッキ２２を配置する。この床支持ジャッキ２２は、その台座２８の座板２７をアンカーボルト等の固定具５１を用いて床スラブ３に固定する。さらに、上記床支持ジャッキ２２の近傍の床スラブ３に電動モーター４４を固定具５１を用いて据え付け、この電動モーター４４のプーリ４６と床支持ジャッキ２２のプーリ４２とにＶベルト４８を巻きかけてベルト伝動を行なわせる。
【００２２】
床支持ジャッキ２２は大引材２４の長尺方向に複数設置され、これらの内の端部の床支持ジャッキ２２は上記電動モーター４４とベルト駆動され、これ以降の隣合う床支持ジャッキ２２同士はそれぞれのプーリ４２同士をＶベルト４８を巻きかけてベルト伝動を行なわせる。
【００２３】
このため、一つの大引材２４を支持する複数の床支持ジャッキ２２は、一台の電動モーター４４により全ての床支持ジャッキ２２が駆動される。そして、上記各床支持ジャッキ２２の受け具３４の上部間に大引材２４を架け渡し、受け具３４と大引材２４とをボルトなどの固着具を用いて固定する。
【００２４】
上記大引材２４は互いに平行に配置され、各大引材２４に対してそれぞれ電動モーター４４を配備し、列状に配置された複数の床支持ジャッキ２２の各昇降駆動機３０を駆動する。各電動モーター４４は、電気配線により制御装置と接続する。また、上記平行に配置した大引材２４と直交する方向に、所定の間隔をおいて根太材２６を配置する。上記根太材２６は、ビス等の止着具を用いて大引材２４の上部に固定する。そして、上記根太材２６の上部に上記弾性体５０を所定間隔毎に配置しそれぞれ根太材２６に固定する。
【００２５】
上記組み床４は上記制御装置により昇降制御される。この昇降制御では、電動モーター４４を正或いは逆方向に所定の時間回転させて昇降駆動機３０のウォーム３６を回し、このウォーム３６の回転により、ウォームホイール３８がゆっくり回って被駆動ねじ軸３２が上下に昇降駆動され、この被駆動ねじ軸３２の上部の受け具３４に支持された大引材２４とともに根太材２６を上昇或いは下降させる。
【００２６】
次に、この組み床４の上方に上記置床２を配置し、この置床２の床パネル６を組み床４によっても支持可能な形態に設置する。この置床２を配置する際には、床パネル６の隅部等に設けた孔部１８の裏面側から、各孔部１８に床支持脚８の上部に設けた受け具１４の突起１６を嵌入し、ビス等の止着具を用いて床パネル６の裏面部に上記受け具１４を固定する。
【００２７】
このように上記置床２は、床支持脚８を取り付けた床パネル６が、上記組み床４の根太材２６の上部を覆う状態で配置する。このとき置床２は、床支持脚８の台座１０が床スラブ３に着地し、床パネル６の下方には上記組み床４の根太材２６上部に取付けた弾性体５０が位置する。そして、各床パネル６同士は密着した状態で配置される。なお、置床２を設置する際には、組み床４の床支持ジャッキ２２の昇降駆動機３０は下降した状態にされている。
【００２８】
上記置床２の配置後は、床パネル６の上部に合板製の捨貼材５６を貼り付け、さらに捨貼材５６の上部に仕上げ用のフローリング材５８を敷設して床面を形成する。なお、置床２は所定範囲で上下に昇降移動するため、置床２の周辺部と体育施設の壁面との間は隙間等を設けて床の昇降の妨げにならないようにする。
【００２９】
このように上記二重床構造は、置床２の床下に大引材２４と根太材２６を組んだ組み床４の床支持ジャッキ２２を昇降稼動させることで、組み床４の高さを変化させ、床の支持形態を変えることで床面の弾力性、緩衝特性を可変する構造である。
【００３０】
次に、上記二重床構造の可変機能について説明する。図６（ａ）（ｂ）（ｃ）に示すようにこの二重床構造は、床支持ジャッキ２２の昇降駆動機３０を稼動させて組み床４と共に置床２を昇降移動させ、この置床２の高さ位置を変えることで床面の緩衝特性を変化させる。この二重床により、スポーツフロアとして競技種目などの使用目的に応じて使い分けが行なえるマルチフロアが形成され、３種類の弾性特性、衝撃効果を有する床に変化させることができる。
【００３１】
図６（ａ）は、運動競技で特に剣道等における硬い床が望まれる場合の二重床構造である。この二重床構造では、制御装置により昇降駆動機３０を稼動させて組み床４の床支持ジャッキ２２を昇降させ、組み床４の高さ位置として根太材２６上の弾性体５０が置床２の床パネル６の下面に当接した位置で床支持ジャッキ２２を保持する形態である。このためこの二重床構造は、置床２の床支持脚８及び組み床４の床支持ジャッキ２２の両支持部材で床を支持する形態である。この場合、床支持脚８の台座１０及び床支持ジャッキ２２で支える弾性体５０により床が硬くまた高い荷重強度で弾性支持される。
【００３２】
図６（ｂ）は、集会などの一般的な目的で使用される場合の二重床構造である。この二重床構造では、制御装置により昇降駆動機３０を稼動させて組み床４の床支持ジャッキ２２を降下させ、この組み床４の弾性体５０の上面部と床パネル６の下面部との間に２０ｍｍ程度の間隔をあけた状態に床支持ジャッキ２２を保持する。このため、この二重床構造では、床は置床２の床支持脚８のみで支持される形態であり、床の緩衝特性は床支持脚８の台座１０の弾力性に依存する。
【００３３】
図６（ｃ）は、運動競技で特に柔道等における弾力のある柔らかい床が望まれる場合の二重床構造である。この二重床構造では、制御装置により昇降駆動機３０を稼動させて組み床４の床支持ジャッキ２２を上昇させ、組み床４の根太材２６上の弾性体５０により置床２の床パネル６を持ち上げた位置で保持する形態である。このためこの二重床構造では、床支持脚８が床スラブ３から離れて１０ｍｍ程度浮いた状態で保持される。したがって、この二重床構造では、床は組み床４の床支持ジャッキ２２が大引材２４及び根太材２６を介して支える弾性体５０のみで支持される形態である。この床の緩衝特性は、弾性体５０を形成するコイルバネ５２による大きな弾力性により、床は衝撃に対して大きな緩衝効果を得ることができる。
【００３４】
このように上記二重床構造は、床の一般仕様として置床２のみの支持構造から、床支持ジャッキ２２により組み床４を上昇させる過程で、一般仕様から、床の硬い剣道場仕様へと、さらには組み床４のみの支持形態による床の柔らかい柔道場仕様へと可変でき、武道場が競技の種目に応じた用途に対応できて有効活用できる。
【００３５】
従って、上記実施の形態に係る二重床構造によれば、体育施設におけるスポーツフロアの床面の緩衝特性の変更が可能となり、競技内容に応じて最適な弾力性が得られるフロアを確保することができ、またアリーナなどの広い施設において部分的な床面の緩衝調整、或いは武道場における一般競技の用途への変更も可能となりフロアが多用途に適用できる。また、弾力性を可変可能な機構を利用して高強度を要求される用途への転用（補強構造）が可能となり、例えば移動観覧席使用時の強度補強としての活用、及び非常時の体育館の避難場所としての活用などフロアのマルチ機能化が図れ、多用途ニーズにも対応できる。
【図面の簡単な説明】
【００３６】
【図１】本発明の実施の形態に係る弾力性を可変できる二重床構造を示す図である。
【図２】実施の形態に係る二重床構造を分解した説明図である。
【図３】実施の形態に係る組み床を示す図である。
【図４】実施の形態に係る床支持ジャッキを示す図で、（ａ）は正面を、（ｂ）は側面を示す図である。
【図５】床支持ジャッキに用いられる昇降駆動機を示す図である。
【図６】実施の形態に係る二重床構造の変化を示す図で、（ａ）は置床及び組み床の両方で床全体を支え硬い床を形成し、剣道等の競技用の床構図を示す図、（ｂ）は組み床を降下させて置床で床全体を支える一般的な床の使用状態を示す図、（ｃ）は組み床を上昇させて組み床の弾性体で床を支え柔らかい床を形成し、柔道等の競技用の二重床構造を示す図である。
【図７】従来例に係る床の緩衝効果を変更することが可能な床支持装置を示す図である。
【符号の説明】
【００３７】
２  置床
４  組み床
６  床パネル
８  床支持脚
１０  台座
２２  床支持ジャッキ
２４  大引材
２６  根太材
３０  昇降駆動機
３８  ウォームホイール
５０  弾性体
５２  コイルバネ
【図１】
2009235806.tif 000003
【図２】
2009235806.tif 000004
【図３】
2009235806.tif 000005
【図４】
2009235806.tif 000006
【図５】
2009235806.tif 000007
【図６】
2009235806.tif 000008
【図７】
2009235806.tif 000009